(57)【要約】【課題】子供や女性あるいは老人のような非力な人でも容易に開封することができ、不正開封が明確に分かり且つ容器の内容物が漏れる虞がなく、既設キャッピングラインもそのまま活用できる易開栓容器蓋を提供する。【解決手段】容器の口部に装着した本体キャップとこれに外装した外キャップとからなり、本体キャップは、凹陥部を形成した天面壁と、これの周縁から垂下するスカート部とを有し、スカート部の内周面に口部の外周面に形成した雄螺条と対応する雌螺条とを形成し、更にスカート部の外周面に軸方向のナールを形成し、外キャップは、頂板壁とその周縁から垂下するスカート壁とを有し、頂板壁に垂下し本体キャップの凹陥部と係止する係止部材を形成し、スカート壁の内周面にナールに係合するリブを形成し、更にスカート壁の外周に、それより径大で把持部を備えた筒壁を周設していることで、上記課題を達成する。【選択図】      図１
2004352312.tif 000002
【特許請求の範囲】
【請求項１】
容器口部に装着される本体キャップと、該本体キャップに外装される外キャップとからなる容器蓋であって、
上記本体キャップは、天面中央に凹陥部が形成された天面壁と、該天面壁の周縁から垂下するスカート部とを有し、該スカート部には、該スカート部内周面に上記容器口部外周面に形成された雄螺条と対応する雌螺条が形成されており、該スカート部外周面に軸線方向に延びる複数個のナールが形成されており、
上記外キャップは、頂板壁と該頂板壁の周縁から垂下するスカート壁とを有し、該頂板壁には、該頂板壁内面より下方に垂下し、上記本体キャップの凹陥部と係止する係止部材を形成されており、該スカート壁には、該スカート壁内周面に上記ナールに係合する複数個のリブが形成されており、該スカート壁の外周には、該スカート壁より径大で把持部を備えた筒壁が周設されていることを特徴とする易開栓容器蓋。
【請求項２】
前記係止部材は、前記頂板壁から垂下する外周面に係止突起を有する筒状リングであり、前記凹陥部は、前記天面壁から垂下する環状の壁面と、該壁面の下端を塞ぐ底壁とを有し、該壁面には、内方に突出する係止突条が形成されており、前記外キャップを前記本体キャップに取り付けたときに、該係止突起が該係止突条を弾性的に乗り越えて係合する請求項１記載の易開栓容器蓋。
【請求項３】
前記底壁の上面に、前記筒状リングの下部内周面を保持する保持突起が形成されている請求項２記載の易開栓容器蓋。
【請求項４】
前記ナールの上方先端及び／又は前記リブの下方先端に、開栓方向に向かって下方に傾斜している傾斜ラインが形成されている請求項１ないし３のいずれか１項記載の易開栓容器蓋。
【請求項５】
前記把持部は、前記筒壁外周面に軸線方向に延びる複数個の凹凸形状が形成されているか、または外周面が多角形形状である請求項１ないし４のいずれか１項記載の易開栓容器蓋。
【発明の詳細な説明】
【０００１】
【発明の属する技術分野】
本発明は、飲料などを収容する容器の口部に打栓して使用する易開栓容器蓋に関するものであり、より詳しくは、本体キャップよりも径大で把持部を備えた外キャップを利用し、子供や女性あるいは老人などの非力な人でも容易に開封することができる易開栓容器蓋に関するものである。
【０００２】
【従来の技術】
飲料、食用油や調味料などを収容する多くの容器に使用される容器蓋は、主に製作上及び素材コストの面からプラスチック製のものが使用されている。そして、このプラスチック製の容器蓋は、容器の口部に強く螺着して液密とし、その状態を維持する。その上に、このプラスチック製の容器蓋の中には、タンパーエビデント機構を備えて、本体キャップを開封するとその事実が残り、各種のいたずらを防止できるものが多く採用されている。
また、その反面、タンパーエビデント機構を備えていることによる開封困難性を解消しようとして、本体キャップの径を大きくする方法も多く試みられている。しかし、それでは、すでに設定されている容器に対するキャッピングラインの大幅な改造が必要となり、再度、通常の径の本体キャップに戻すことも困難となる。その様な理由から、キャップの易開封性を目的として、通常径の本体キャップに径の大きいオーバーキャップを被せることが提案されている。
【０００３】
上記のようなプラスチック製の易開栓容器蓋として、次のようなものが知られている。
【特許文献１】特開２００３−４０２９７号公報
特許文献１によれば、周壁５０の下端にリング状封緘バンド５１を薄肉脆弱ブリッジ５２を介して連結するキャップ本体５３とこのキャップ本体５３に冠着するオーバーキャップ５４とからなり、キャップ本体５３は周壁５０外周面にローレット目５５を設け、オーバーキャップ５４は周壁５６下端内周面に複数個の係着部５７を周方向に等間隔に設け、周壁５６内周面にキャップ本体５３のローレット目５５に対応するローレット目５８を設け、キャップ本体５３にオーバーキャップ５４を冠着したときに、オーバーキャップ５４の係着部５７がキャップ本体５３とリング状封緘バンド５１との間隙に係着して、且つキャップ本体５３のローレット目５５とオーバーキャップ５４のローレット目５８とが嵌合するものであり、これにより、開封トルクを相対的に低くして開封しやすくしたプラスチック製の易開栓容器蓋が開示されている。
【０００４】
【特許文献２】特開２００３−７２７９６号公報
また、特許文献２によれば、容器６０の口部６１に螺着するネジキャップ６２と、このネジキャップ６２を開栓操作する際にネジキャップ６２から切り離されるピルファプルーフバンド６３と、このピルファプルーフバンド６３を露出させるようにネジキャップ６２に係合手段６４を介して被せられるオーバーキャップ６５とからなり、これにより、開封トルクを相対的に低くして開封しやすくしたプラスチック製の易開栓容器蓋が開示されている。
【０００５】
【発明が解決しようとする課題】
特許文献１のプラスチック製の易開栓容器蓋は、キャップ本体５３の外径よりもオーバーキャップ５４の外径の方が大きく形成され、開封トルクを相対的に低くでき開封し易くできるが、オーバーキャップ５４のキャップ本体５３からの軸方向の抜けは、その係着部５７をキャップ本体５３とリング状封緘バンド５１との間隙に係着することで防いでいるため、容器内の内容物を使い切らず再び容器の口部にキャップ本体５３及びオーバーキャップ５４の一体物を螺着したとき、オーバーキャップ５４が薄肉脆弱ブリッジ５２を覆うことになり、不正開封であるかどうかを見極めにくいきらいがある。また、キャップ本体５３にオーバーキャップ５４を打栓する際、キャップ本体５３のローレット目５５とオーバーキャップ５４のローレット目５５との噛み合わせになり、その噛み合わせの状況により、キャップ本体５３が開栓方向あるいは閉栓方向に回転することになって、開栓方向に回転した場合は容器の内容物の漏れにつながる虞がある。
【０００６】
特許文献２のプラスチック製の易開栓容器蓋も、外径の大きいオーバーキャップ６５により開封トルクを相対的に低くでき開封し易くできるという効果はあるが、この場合もピルファプルーフバンド６３を露出してはいるが、ネジキャップ６２とピルファプルーフバンド６３との間にある薄肉部６６をオーバーキャップ６５が覆うことになり、不正開封であるかどうかを見極めにくいという難点がある。さらに、この易開栓容器蓋も、特許文献１と同様に、ネジキャップ６２にオーバーキャップ６５を打栓する際、ネジキャップ６２が開栓方向に回転することがあり、その場合には容器の内容物が漏れる虞がある。
【０００７】
いずれにしても、特許文献１のキャップ本体５３及び特許文献２のネジキャップ６２は共にそれらの下端部の膨らみを利用して、オーバーキャップ５４及び６５の軸方向への離脱を防いでいるから、薄肉脆弱ブリッジ５２及び薄肉部６６をオーバーキャップ６５にて覆うことになり、その結果、不正開封であるかどうかを見極めにくくし、且つ打栓の時、キャップ本体５３及びネジキャップ６２が開栓方向に回転して容器の内容物の漏れの虞が生ずるものである。
【０００８】
そこで、本発明の目的は、子供や女性あるいは老人などの非力な人でも容易に開封でき、その上に不正開封が一見して分かり、且つ容器の内容物が漏れる虞がなく、しかも既設のキャッピングラインをわずかな改造にて活用できる易開栓容器蓋を提供することにある。
【０００９】
【課題を解決するための手段】
本発明は、上記目的を達成するために提案されたものであって、下記の構成からなることを特徴とするものである。
すなわち、本発明によれば、容器口部に装着される本体キャップと、該本体キャップに外装される外キャップとからなる容器蓋であって、上記本体キャップは、天面中央に凹陥部が形成された天面壁と、該天面壁の周縁から垂下するスカート部とを有し、該スカート部には、該スカート部内周面に上記容器口部外周面に形成された雄螺条と対応する雌螺条が形成されており、該スカート部外周面に軸線方向に延びる複数個のナールが形成されており、上記外キャップは、頂板壁と該頂板壁の周縁から垂下するスカート壁とを有し、該頂板壁には、該頂板壁内面より下方に垂下し、上記本体キャップの凹陥部と係止する係止部材を形成されており、該スカート壁には、該スカート壁内周面に上記ナールに係合する複数個のリブが形成されており、該スカート壁の外周には、該スカート壁より径大で把持部を備えた筒壁が周設されていることを特徴とする易開栓容器蓋が提供される。
【００１０】
また、本発明によれば、前記係止部材は、前記天面壁から垂下する外周面に係止突起を有する筒状リングであり、前記凹陥部は、前記天面壁から垂下する環状の壁面と、該壁面の下端を塞ぐ底壁とを有し、該壁面には、内方に突出する係止突条が形成されており、前記外キャップを前記本体キャップに取り付けたときに、該係止突起が該係止突条を弾性的に乗り越えて係合する上記易開栓容器蓋が提供される。
【００１１】
また、本発明によれば、前記底壁の上面に、前記筒状リングの下部内周面を保持する保持突起が形成されている上記易開栓容器蓋が提供される。
【００１２】
また、本発明によれば、前記ナールの上方先端及び／又は前記リブの下方先端に、開栓方向に向かって下方に傾斜している傾斜ラインが形成されている上記易開栓容器蓋が提供される。
【００１３】
また、本発明によれば、前記把持部は、前記筒壁外周面に軸線方向に延びる複数個の凹凸形状が形成されているか、または外周面が多角形形状である上記易開栓容器蓋が提供される。
【００１４】
【発明の実施の形態】
以下に、図面を参照して本発明の実施の形態を説明する。
図１は本発明の実施の形態を示す易開栓容器蓋を容器の口部に装着した状態の半裁断面図、図２はその平面図である。両図において、易開栓容器蓋１は、容器２の口部３に装着される本体キャップ４と、この本体キャップ４に外装される外キャップ５とからなり、この本体キャップ４は、天面中央に凹陥部６が形成された天面壁７と、この天面壁７の周縁から垂下するスカート部８とを有し、そのスカート部８には、その内周面に容器２の口部３の外周面に形成された雄螺条９と対応する雌螺条１０が形成されている。更にこのスカート部８の外周面に軸線方向に延びる複数個のナール１１（図３、４参照）が形成されており、外キャップ５は、頂板壁１２とその周縁から垂下するスカート壁１３とを有し、この頂板壁１２にはその内面より下方に垂下し前記本体キャップ４の凹陥部６と係合する係止部材１４が形成されており、そのスカート壁１３にはその内周面に前記ナール１１に係合する複数個のリブ１５（図７、８参照）が形成され、更にこのスカート壁１３の外周には、それより径大で把持部１６を備えた筒壁１７が周設されている。
【００１５】
前記容器２は、その口部３に上記の易開栓容器蓋１の本体キャップ４を螺着できるものであれば特に限定がなく、どのようなタイプ、あるいは材質のものでも良い。この実施の形態では、飲料、食用油、調味料などのボトルタイプのプラスチック製の容器を想定している。なお、図１中、１８は鍔である。
【００１６】
前記本体キャップ４は、既に述べたように、天面壁７の周縁からスカート部８を垂下させてなり、そのスカート部８の下端に不正開封防止のタンパーエビデント機構２０を介在させてバンド２１を設けて、このバンド２１と本体キャップ４とを一体構成としている。このタンパーエビデント機構２０は、本体キャップ４のスカート部８とその下方のバンド２１とを易破断性のブリッジ２２にて接続すると共に、スカート部８及びバンド２１にストッパー２３，２３を設けて、これらを螺着方向（閉栓方向）に同調回転させて、容器２の口部３に本体キャップ４を螺着（閉栓）し、逆に、本体キャップ４を螺脱方向（開栓方向）に回転させれば、容器２の口部３にバンド２１を残してブリッジ２２を破断し開封することになり、不正開封の事実が判明する。一方、通常の開封で、本体キャップ４を容器２の口部３から螺脱（開栓）することができるものである。
【００１７】
また、この本体キャップ４の凹陥部６は、前記天面壁７周縁から垂下する環状の壁面２４と、この環状の壁面２４の下端を塞ぐ底壁２５とを有し、この壁面２４には内方に突出する係止突条２６が形成されており、底壁２５の上面には外キャップ５の後述する筒状リング３１の下部内周面を保持するための保持突起２７が形成されている。そして、本体キャップ４のスカート部８の外周面に設けられた複数個のナール１１は、その上端が開栓方向に向かって下方に傾斜している傾斜ライン１１ａが形成されている。
【００１８】
前記外キャップ５は、既に述べたように、頂板壁１２の周縁からスカート壁１３を垂下させた構成を有しており、この頂板壁１２に形成した前記係止部材１４は、頂板壁１２の中ほどから垂下し外周面に係止突起３０を有する筒状リング３１である。また、外キャップ５のスカート壁１３の内周面に設けられた複数個の前記リブ１５は、その下端が開栓方向に向かって下方に傾斜している傾斜ライン１５ａが形成されている。更に、スカート壁１３の外周面にはそれを覆うように筒壁１７が設けられ、この筒壁１７にはすべり止めともなる把持部１６が設けられている。すなわち、把持部１６は、例えば筒壁１７の外周面にその軸線方向に延びる複数個の凹凸形状３２が形成されていたり、または、外周面が多角形形状（図示せず）となっている。外キャップ５はこのようになっているから、その外径は、本体キャップ４の外径、すなわち、スカート部８の外径よりもかなり大きくなり、テコの原理により容器２の口部３にバンド２１を残して容易に開封することができ、本体キャップ４及び外キャップ５の一体物を容易に螺脱したり螺着したりすることができる。
【００１９】
次に、上記構成になる易開栓容器蓋１の利用方法について説明する。
まず、容器２内に内容物を充填し、そのあとキャッピングラインで、口部３に本体キャップ４とバンド２１との一体構成品を強く螺着して液密とする。その際、本体キャップ４のスカート部８及びバンド２１に設けてあるストッパー２３により、これらを螺着方向（閉栓方向）に同調回転させるから、タンパーエビデント機構２０の易破断性のブリッジ２２を破断することなく、容器２の口部３に本体キャップ４を強く螺着（閉栓）することができる。
【００２０】
そのあと、図１０に示すように、外キャップ５の打栓ラインで本体キャップ４に外キャップ５を打栓する。この打栓において、本体キャップ４と外キャップ５とは軸方向移動不可及び回転不可とされる。すなわち、外キャップ５の係止部材１４である筒状リング３１は、本体キャップ４の凹陥部６に挿入され、筒状リング３１の外周面に設けられた係止突起３０が凹陥部６の壁面２４に形成された係止突条２６を弾性的に乗り越え係止されて、更に凹陥部６の底壁２５の上面に形成した保持突起２７により、筒状リング３１の下部内周面を保持することで、本体キャップ４と外キャップ５との係止状態をより強固に保持して、本体キャップ４から外キャップ５が抜けないように、つまり、軸方向移動不可にしている。
【００２１】
その一方で、外キャップ５のスカート壁１３の内周面の複数個のリブ１５が、本体キャップ４のスカート部８の外周面の複数個のナール１１に咬合し、回転不可となる。この際、外キャップ５の複数個のリブ１５の下端の傾斜ライン１５ａは、本体キャップ４の複数個のナール１１の上端の傾斜ライン１１ａに当たったとしても、わずかではあるが本体キャップ４の閉栓を締め増す方向（図６の矢線Ａ方向）に回転させ、本体キャップが開栓方向には回転しないようになっており、本体キャップ４と容器２との緩みが万が一にも発生させないようにしている。
【００２２】
容器蓋の開栓に当たっては、外キャップ５の把持部１６の複数個の凹凸形状３２を利用して、図１１に示すように、手指にて本体キャップ４及び外キャップ５の一体物を開封し、容器２の口部３から外すことが出来る。すなわち、既述のとおり外キャップ５の外径は、本体キャップ４の外径よりもかなり大きいから、テコの原理により非力な人でも、本体キャップ４及び外キャップ５の一体物を容易に開封し、容器２の口部３から外すことができて、内容物を取り出すことができる。容器２に内容物が残留していれば、再び、口部３に本体キャップ４及び外キャップ５の一体物を螺着することができ、保存が容易となる。一方、本体キャップ４及び外キャップ５の一体物を一旦開封、つまり、タンパーエビデント機構２０の易破断性のブリッジ２２を破断すると、バンド２１が口部３の鍔１８まで落下し、しかも外キャップ５の筒状リング３１が本体キャップ４の凹陥部６に挿入され係止されて軸方向移動不可とするから、外キャップ５によりタンパーエビデント機構２０の易破断性のブリッジ２２を覆う必要がなく（図１参照）、バンド２１が鍔１８に落下していること、さらには易破断性のブリッジ２２が切断していることにより、不正開封の事実を直ぐにしかも明確に認識でき、危険を容易に回避することができる。
【００２３】
以上、本発明の実施形態を説明したが、具体的な構成はこれに限定されず、本発明の要旨を逸脱しない範囲での変更は適宜なし得ることは了解され得るべきである。
【００２４】
【発明の効果】
本発明によれば、本体キャップに外キャップを外装する打栓機を既設のキャッピングラインに付設するというわずかな改造だけで、既設のキャッピングラインを活用でき、加えて本体キャップよりも径大で把持部を備えた外キャップを利用できることにより、非力な人でも容易に容器蓋を開封できる効果がある。
また、本体キャップと外キャップとをこれらの上部にて係止し軸方向移動不可とするから、本体キャップを外キャップにて覆わなくても軸方向移動不可にすることができ、そのために不正開封を一見して明確に分かる効果がある。
さらに、本体キャップと外キャップとの係止部の構成により、外キャップの筒状リングの下部内周面を強固に保持することができ、本体キャップからの外キャップの抜けを防止することができる。
また、本体キャップに外キャップを打栓する際、本体キャップのナールに外キャップのリブが当たっても、ナールの開栓方向の傾斜ラインにリブの下端が当たり本体キャップに閉栓方向の力が加わり、容器の口部に対して本体キャップを締め増しするようにすることにより、本体キャップに外キャップを打栓する際、リブがナールのどの位置に当たっても、容器の口部に対して本体キャップを必ず締め増しすることになり、内容物の漏れの心配がなくなる効果がある。
【図面の簡単な説明】
【図１】本発明の実施の形態を示す易開栓容器蓋を容器の口部に装着した状態の半裁断面図である。
【図２】図１に示した易開栓容器蓋の平面図である。
【図３】本発明の実施の形態を示す易開栓容器蓋の本体キャップの平面図である。
【図４】図３に示した易開栓容器蓋の本体キャップの半裁断面図である。
【図５】図３に示した易開栓容器蓋の本体キャップの裏面図である。
【図６】本発明の易開栓容器蓋の本体キャップに外キャップを打栓する際に働く力の方向を示す模式図である。
【図７】本発明の易開栓容器蓋の外キャップの平面図である。
【図８】図７の易開栓容器蓋の外キャップの半裁断面図である。
【図９】図７の易開栓容器蓋の外キャップの裏面図である。
【図１０】本発明の易開栓容器蓋の本体キャップに外キャップを打栓する状態を示す半裁断面図である。
【図１１】本発明の易開栓容器蓋を開封する状態を示す半裁断面図である。
【図１２】易開栓容器蓋の従来例を示す半裁断面図である。
【図１３】易開栓容器蓋の従来例を示す断面図である。
【符号の説明】
１                        易開栓容器蓋
２，６０                  容器
３，６１                  口部
４                        本体キャップ
５                        外キャップ
６                        凹陥部
７                        天面壁
８                        スカート部
９                        雄螺条
１０                      雌螺条
１１                      ナール
１１ａ，１５ａ            傾斜ライン
１２                      頂板壁
１３                      スカート壁
１４                      係止部材
１５                      リブ
１６                      把持部
１７                      筒壁
１８                      鍔
２０                      タンパーエビデント機構
２１                      バンド
２２                      易破断性のブリッジ
２３                      ストッパー
２４                      環状の壁面
２５                      底壁
２６                      係止突条
２７                      保持突起
３０                      係止突起
３１                      筒状リング
３２                      凹凸形状
５０，５６                周壁
５１                      リング状封緘バンド
５２                      薄肉脆弱ブリッジ
５３                      キャップ本体
５４，６５                オーバーキャップ
５５，５８                ローレット目
５７                      係着部
６２                      ネジキャップ
６３                      ピルファプルーフバンド
６４                      係合手段
【図１】
2004352312.tif 000003
【図２】
2004352312.tif 000004
【図３】
2004352312.tif 000005
【図４】
2004352312.tif 000006
【図５】
2004352312.tif 000007
【図６】
2004352312.tif 000008
【図７】
2004352312.tif 000009
【図８】
2004352312.tif 000010
【図９】
2004352312.tif 000011
【図１０】
2004352312.tif 000012
【図１１】
2004352312.tif 000013
【図１２】
2004352312.tif 000014
【図１３】
2004352312.tif 000015